(57)【特許請求の範囲】
【請求項１】
給紙方向下流側になるにつれて下方に傾斜して立設される支持面を有する背板と、
背板の下部付近に配置され、背板によって支持される記録紙の下端を弾発的に支持する弾発支持手段であって、給紙方向下流側端部が給紙方向に垂直な軸線まわりに角変位可能に支持され、給紙方向上流側端部が背板の支持面よりも背後に存在する揺動支持片と、揺動支持片の前記上流側端部に上方に向うばね力を与え、積層された記録紙の静置状態で揺動支持片の前記上流側端部を予め定める位置に当接させるばねとを備え、積層された記録紙の静置状態で揺動支持片の載置面と背板の支持面とのなす角度θ１が、背板の支持面と底板の案内面とのなす角度θ２よりも大きいθ１＞θ２である弾発支持手段と、
弾発支持手段よりも給紙方向下流側に配置され、記録紙を案内する底板と、
支持面上の記録紙の最上面に接触し、最上部の記録紙を給紙する給紙ローラとを含み、
揺動支持片は、
前記角度θ１が小さくなるように給紙方向に垂直な軸線まわりに角変位することを特徴とする給紙装置。
【請求項２】
複数の揺動支持片が、
給紙方向に対して垂直方向に間隔をあけて配置されることを特徴とする請求項１記載の給紙装置。
【請求項３】
揺動支持片の載置面に給紙方向に分布して形成される凸部が設けられることを特徴とする請求項１または２記載の給紙装置。
【請求項４】
請求項１〜３のいずれか１つに記載の給紙装置と、
給紙装置の底板よりも給紙方向下流側で記録紙に印字する印字ヘッドとを含む記録装置。
【発明の詳細な説明】
【０００１】
【発明の属する技術分野】
本発明は、通信装置および情報処理装置などとともに使用される記録装置に装備される記録紙を送給するための給紙装置に関する。
【０００２】
【従来の技術】
通信装置および情報処理装置などに使用される記録装置に装備される給紙装置には、用紙を１枚ずつ送給するための方法が種々用いられている。たとえば、記録紙が載置されるカセットの底面をばねなどで押し上げて記録紙の給紙方向先端側の両端を爪で押さえ、載置された記録紙を給紙ローラで給紙方向に押し出し、複数枚載置された記録紙のうち最外層の１枚が、爪の阻止力を超えたときに給紙される方法。また、給紙ローラと給紙ローラに当接されるゴムなどの摩擦係数の大きい阻止部材との間に記録紙を送給し、給紙ローラを給紙方向に回転して、給紙ローラ側の１枚のみが阻止部材の阻止力に打ち勝ったときに給紙される方法。また、給紙される用紙の表面側に給紙方向に回転するローラを配し、複数枚載置された記録紙の裏面側に給紙方向と反対方向に回転するローラを配し、２枚目以下の記録紙は給紙方向と反対方向に回転するローラによって推し戻され、給紙される記録紙の表面側の１枚のみが給紙される方法。また、真空吸引により、給紙される側の１枚目のみを真空吸引力で持ち上げ、２枚目以下の記録紙は反対側から真空吸引装置で吸引する力で給紙を阻止することにより、１枚目のみ給紙する方法などである。
【０００３】
前述の給紙方法に対して、記録紙を載置して支持する支持面を有する背板と、背板の給紙方向下流側に予め定める角度を有して配置され記録紙を分離する底板とによって、記録紙を分離送給する角度分離方法を用いた給紙装置は、簡単な構造で記録紙の分離送給を実現することができる。また、簡単な構造であるけれども、記録紙の使用可能な厚みの範囲が広く、装置の所要面積が小さいので、給紙装置を搭載する記録装置、ひいては記録装置を使用する通信装置および情報処理装置の床面積を小さくすることができる。さらに、記録紙を１枚分離して給紙を開始した後は、たとえば記録紙を給紙する給紙ローラを半月形にするなどして、給紙が開始された記録紙に給紙ローラが接触しないようにして負荷を与えない構成にすれば、印刷時に円滑な給紙をすることができる利点があり、角度分離方法は多用されるに至っている。
【０００４】
角度分離方法は、利点のある方法であるけれども、厚みが広い範囲にわたる記録紙を１枚ずつ確実に送給するという点においては、必ずしも万全ではなく、その対策のための先行技術として、たとえば特開平９−１２１６８号公報などが開示されている。この先行技術では、角度を固定した底板（先行技術では分離板とも呼ぶ）に加えて、用紙に対して前記分離板よりも鋭角に当接する弾性部材からなる補助分離板を設ける。補助分離板は、記録紙の給紙方向下流側では撓んで角度が大きくなって送給抵抗が小さくなり、給紙方向上流側ではあまり撓まずに角度が小さいままで送給抵抗が大きい。すなわち、補助分離板の撓みを利用して、種々の厚みの用紙に対しても分離と送給とを確実に行えるようにしている。
【０００５】
【発明が解決しようとする課題】
この先行技術には、以下の問題がある。給紙装置の使用者が、記録紙を給紙装置に挿入するとき、衝撃力をともなって記録紙を挿入すると、記録紙は背板と分離板との境界を越えて、挿入した記録紙のうち複数枚の下端が分離板の方に入り込むことがある。複数枚の記録紙の下端が分離板に入り込んだ状態で給紙を開始すると、既に分離板に入り込んだ複数枚の記録紙については、分離板が記録紙を１枚ずつ分離する機能を発揮できないので、複数枚を同時に送給する現象が起こる。
【０００６】
先行技術の分離板および補助分離板による記録紙の分離送給は、記録紙が給紙装置に正常に挿入されたときに、記録紙の厚みが多岐にわたっても１枚ずつ分離送給することができるものであり、使用者が給紙装置に記録紙を挿入したとき、分離板に複数枚の記録紙の下端が入り込んでしまうという異常な状態においては、記録紙を１枚ずつ分離送給することができない。
【０００７】
本発明は、記録紙が衝撃力をともなって給紙装置に挿入された場合でも、記録紙が挿入された直後から記録紙を１枚ずつ確実に分離送給することができる給紙装置およびそれを備える記録装置を提供することである。
【０００８】
【課題を解決するための手段】
本発明は、給紙方向下流側になるにつれて下方に傾斜して立設される支持面を有する背板と、
背板の下部付近に配置され、背板によって支持される記録紙の下端を弾発的に支持する弾発支持手段であって、給紙方向下流側端部が給紙方向に垂直な軸線まわりに角変位可能に支持され、給紙方向上流側端部が背板の支持面よりも背後に存在する揺動支持片と、揺動支持片の前記上流側端部に上方に向うばね力を与え、積層された記録紙の静置状態で揺動支持片の前記上流側端部を予め定める位置に当接させるばねとを備え、積層された記録紙の静置状態で揺動支持片の載置面と背板の支持面とのなす角度θ１が、背板の支持面と底板の案内面とのなす角度θ２よりも大きいθ１＞θ２である弾発支持手段と、
弾発支持手段よりも給紙方向下流側に配置され、記録紙を案内する底板と、
支持面上の記録紙の最上面に接触し、最上部の記録紙を給紙する給紙ローラとを含み、
揺動支持片は、
前記角度θ１が小さくなるように給紙方向に垂直な軸線まわりに角変位することを特徴とする給紙装置である。
【０００９】
本発明に従えば、背板の下部付近に背板によって支持される記録紙の下端を弾発的に支持する弾発支持手段が設けられるので、使用者が衝撃力をともなって記録紙を給紙装置に挿入した場合でも、弾発支持手段が記録紙を挿入したときの衝撃力を吸収することができる。したがって、記録紙を給紙装置に挿入するときの衝撃力が、弾発支持手段によって緩和されるので、記録紙が底板の方まで入り込むことを防止でき、記録紙を送給するときに複数枚を同時に送給することがない。さらに、弾発支持手段は、角変位可能な揺動支持片とばねとを含むので、記録紙が給紙装置に衝撃力をともなって挿入されたとき、揺動支持片は揺動支持片の載置面と背板の支持面とのなす角度が小さくなるように角変位して衝撃力を吸収し、衝撃力が除かれた状態で記録紙を静置したまま揺動支持片の載置面と背板の支持面とのなす角度が、θ１となる予め定める位置に保持される。したがって、給紙装置に記録紙を挿入するとき、記録紙が挿入時の衝撃力によって揺動支持片の載置面の方に入り込むことがなく、また、記録紙の分離送給を開始するとき、揺動支持片の載置面と背板の支持面とのなす角度が、予め定める好適な角度θ１に保たれるので、記録紙を１枚ずつ確実に分離送給することができる。また、揺動支持片の載置面と背板の支持面とのなす角度θ１は、背板の支持面と底板の案内面とのなす角度θ２よりも大きいので、分離送給の開始された記録紙は、底板の案内面によって送給を抑止されることがなく、円滑に送給される。
【００１２】
また本発明は、複数の揺動支持片が、
給紙方向に対して垂直方向に間隔をあけて配置されることを特徴とする給紙装置である。
【００１３】
本発明に従えば、送給される記録紙の寸法に応じて、記録紙の下端を支持する揺動支持片の数が異なる。したがって、揺動支持片の載置面が記録紙の下端に当接して記録紙の送給を抑止する力が、記録紙の下端に当接する揺動支持片の数によって調整されることになり、記録紙の寸法に応じた数の揺動支持片と記録紙下端との当接によって、記録紙の分離送給が円滑に行われる。
【００１４】
また本発明は、揺動支持片の載置面に給紙方向に分布して形成される凸部が設けられることを特徴とする給紙装置である。
【００１５】
本発明に従えば、揺動支持片の載置面に給紙方向に分布して形成される凸部が設けられるので、記録紙が衝撃力をともなって給紙装置に挿入された場合でも、凸部が滑り止めの機能を発揮し、挿入された記録紙の下端を確実に受け止めて、記録紙が揺動支持片の載置面の方まで入り込むことを防止できる。したがって、記録紙が給紙装置に衝撃力をともなって挿入されたとき、記録紙を１枚ずつ確実に分離送給する機能を一層強化することができる。
【００１６】
また本発明は、前記いずれか１つの給紙装置と、
給紙装置の底板の支持片よりも給紙方向下流側で記録紙に印字する印字ヘッドとを含む記録装置である。
【００１７】
本発明に従えば、記録装置は、記録紙を１枚ずつ確実に給紙することのできる給紙装置を備えるので、記録紙を印字する場合に複数枚の記録紙を同時に費やして印字する無駄を発生することがない。
【００１８】
【発明の実施の形態】
図１は本発明の実施の１形態である給紙装置１の構成を簡略化して示す断面図であり、図２は図１に示す給紙装置１を備えた記録装置２の構成を簡略化して示す斜視図であり、図３は図１に示す給紙装置１の構成を簡略化して示す斜視図である。給紙装置１は、矢符１１に示す給紙方向の下流側になるにつれて下方に傾斜して立設される支持面３を有する背板４と、背板４の下部付近に配置され、背板４によって支持される記録紙５の下端６を弾発的に支持する弾発支持手段７と、弾発支持手段７よりも給紙方向下流側に配置され、記録紙５を案内する底板８と、支持面３上の記録紙５の最上面に接触し、最上部の記録紙を給紙する給紙ローラ９とを含む。
【００１９】
背板４は、合成樹脂製の平板形状をなし、一端部１２付近に背板４の支持面３から突出し、一端部１２側端面にほぼ平行に延びる第１記録紙案内片１４が設けられ、背板４の他端部１３付近には、第１記録紙案内片１４に対向して第２記録紙案内片１５が設けられる。第１記録紙案内片１４は、支持面３に固定して設けられる。第２記録紙支持片１５は、矢符１６に示す方向に可動に設けられ、記録紙の寸法に応じて案内位置を変更して設定することができる。
【００２０】
弾発支持手段７は、背板４の給紙方向下流側に形成される第１切欠き１７と、第１切欠き１７に連なって底板８の給紙方向上流側に形成される第２切欠き１８とによって形成される空間に設けられる。第２切欠き１８を形成する底板８の給紙方向に垂直な方向に対向する端面の給紙方向下流側には、給紙方向に垂直な軸線２３を有する支持片支持軸４０が設けられる。
【００２１】
また、弾発支持手段７は、給紙方向下流側端部２１が支持片支持軸４０によって給紙方向に垂直な軸線２３まわりに角変位可能に底板８に支持され、給紙方向上流側端部２２が背板４の支持面３よりも背後に存在する揺動支持片２４と、揺動支持片２４の給紙方向上流側端部２２に上方に向うばね力を与え、揺動支持片２４の給紙方向上流側端部２２を、第１切欠き１７を形成する背板４の給紙方向上流側端面に形成される保持部２５に当接させるばね２６とを含む。
【００２２】
揺動支持片２４は、合成樹脂製であり、記録紙の下端６を載置する載置面２７を有し、給紙方向上流側端部２２が前記保持部２５に当接した状態で、揺動支持片２４の載置面２７と背板の支持面３とは、角度θ１をなす。角度θ１は、給紙装置１が送給対象とする記録紙の寸法、特に厚みの範囲に応じて、記録紙を送給することができる好適な角度を実験により求めて設定したものである。ばね２６の一方２８は、揺動支持片２４の給紙方向上流側端部２２において、載置面２７の反対面３２を支持し、ばね２６の他方２９は、底板８の背後に設けられたばね支持部材３０の揺動支持片２４を臨む面３１に取付けられる。本実施の形態では、給紙方向に対して垂直方向に間隔をあけて３つ配置される弾発支持手段７の構成は、すべて同一である。
【００２３】
底板８は、合成樹脂製の平板形状をなし、給紙方向下流側に向かって送給される記録紙を案内する案内面３６を有し、底板８の案内面３６と背板４の支持面３とは、角度θ２をなす。前記角度θ１は、θ２よりも大きく、θ２は角度９０度よりも大きい鈍角であり、θ１＞θ２＞９０度である。
【００２４】
給紙ローラ９はローラ回転軸４１に取付けられ、ローラ回転軸４１は、後述のアーム５１，５２によって給紙方向に垂直な軸線まわりに回転自在に給紙装置１に設けられる。ローラ回転軸４１の他端部４３は、電動機などの駆動源４４に接続され、駆動源４４の回転駆動力がローラ回転軸４１に伝達されて、ローラ回転軸４１および給紙ローラ９が、矢符４５方向に回転する。
【００２５】
底板８の案内面３６の反対面３７には、一端部３８と他端部３９とに軸受４６，４７が設けられる。給紙方向に垂直な軸線を有するアーム支持軸４８が、軸受４６，４７に挿通して設けられ、アーム支持軸４８の一端部４９および他端部５０には、給紙方向に垂直な軸線まわりに角変位可能にアーム５１，５２の一方が装着され、アーム５１，５２の他方には、ローラ回転軸４１の一端部４２と他端部４３とが回転自在に支持される。
【００２６】
アーム５１，５２は、給紙ローラ９、ローラ回転軸４１および駆動源４４などの自重によって、アーム支持軸４８の給紙方向に垂直な軸線まわりに背板４の支持面３側に向かって角変位することができる。アーム５１，５２が角変位することによって、給紙ローラ９は支持面３に載置された記録紙の最上面に当接することができる。給紙ローラ９が、支持面３に載置された記録紙の最上面に当接した状態で、駆動源４４によってローラ回転軸４１を矢符４５方向に回転すると、ローラ回転軸４１とともに給紙ローラ９が、回転して記録紙が送給される。
【００２７】
給紙装置１を備えた記録装置２は、給紙装置１の底板８よりも給紙方向下流側で記録紙に印字する印字ヘッド６１と、印字ヘッドの下方に配置され矢符６７方向に回転可能なプラテン６２とを含む。印字ヘッド６１は、給紙方向に垂直に設けられた案内軸６３に矢符６６方向に可動に装着され、タイミングベルト６４によって案内軸６３に沿って移動し、印字ヘッド６１とプラテン６２との間に給紙された記録紙６５に、印字情報に応じて印字し記録する。
【００２８】
図４は、角度分離法を利用した給紙装置８１による記録紙７３の分離送給の概要を示す図である。背板７１の支持面７２には記録紙７３が載置され、最外層の１枚目の記録紙７９が、給紙ローラ７４によって底板７５の案内面７６に沿って送給される。角度分離法では、次のようにして記録紙が分離送給される。ここで、背板７１の支持面７２に載置された各記録紙において、給紙ローラ７４側に臨む面を記録紙の表面と呼び、その反対側の面を裏面と呼ぶ。給紙ローラ７４を矢符７７の方向に回転したとき、給紙ローラ７４と１枚目の記録紙７９の表面との間に生じる摩擦力をＡとする。２枚目の記録紙の表面と１枚目の記録紙７９の裏面との間の摩擦力をＢとする。給紙ローラ７４の回転によって、記録紙が背板７１の支持面７２から底板７５の方向に送給されたとき、底板７５の案内面７６が記録紙下端面７８にあたって記録紙の送給を抑止する力（以後、抑止力と呼ぶ）をＣとする。
【００２９】
用紙が送給されるためには、
Ａ  ＞  Ｂ＋Ｃ                                            …（１）
であることが必要である。また、複数枚の記録用紙を一度に送給されることがないようにするには、２枚目の記録紙の裏面と３枚目の記録紙の表面との摩擦力をＤとすると、
Ｂ  ＜  Ｃ＋Ｄ                                            …（２）
であることが必要である。
【００３０】
給紙ローラ７４と記録紙との間の摩擦力および記録紙と記録紙との間の摩擦力は、記録紙の厚みおよび環境条件特に湿度の影響を受ける。抑止力は、底板７５の案内面７６と背板７１の支持面７２とがなす角度θによって決まる。角度θが大きいと抑止力は小さくなり、角度θが小さいと抑止力は大きくなる。たとえば、記録紙が葉書のように厚みの厚いものであるとき、角度θが小さいと抑止力が大きいので、葉書を送給することができない。また、逆に厚みの薄い記録紙の場合は、角度θが大きいと抑止力が小さすぎるので、複数枚の記録紙を一度に送給してしまうことになる。したがって、給紙装置が送給対象とする記録紙の厚みの範囲に好適の角度θを、実験して予め求めておく必要がある。
【００３１】
底板７５の案内面７６と背板７１の支持面７２とのなす角度θが、実験的に求められた適正範囲の大きさに設定され、前記の抑止力と摩擦力との間の関係式、
Ａ＞Ｂ＋Ｃ  および  Ｂ＜Ｃ＋Ｄ
が満足されるとき、記録紙は１枚ずつ分離して送給される。
【００３２】
図５は、給紙装置８１に挿入された記録紙７３のうち外層の複数枚の記録紙８２が、背板７１と底板７５との境界を越えて、底板７５の案内面７６にまで入り込んだ状態を示す図である。給紙装置８１の使用者が衝撃力をともなって記録紙７３を給紙装置８１に挿入したとき、積層した記録紙７３のうち外層側の複数枚の記録紙８２が、背板７１と底板７５との境界を越えて、底板７５の案内面７６にまで入り込むことがある。このとき、底板７５の案内面７６にまで入り込んだ複数枚の記録紙８２の下端は、すでに案内面７６と当接することがなく、給紙方向下流側に向いているので、案内面７６の抑止力が働かない。したがって、前記給紙ローラ７４を回転して記録紙７３の分離送給を開始したとき、底板７５の案内面７６に下端が入り込んだ複数枚の記録紙８２は、給紙ローラ７４によって同時に送給される。
【００３３】
図６は、給紙装置１に記録紙５が挿入され、衝撃力が加えられた状態を示す断面図である。給紙装置１の使用者によって、記録紙５が衝撃力をともなって給紙装置１に挿入されたとき、挿入された記録紙５の下端６面と当接する揺動支持片２４の載置面２７が、挿入された記録紙５を受け止める。このとき、揺動支持片２４の給紙方向上流側端部２２を支持するばね２６が、記録紙５を挿入するときの衝撃力に応じて圧縮変形し、揺動支持片２４は給紙方向に垂直な軸線２３まわりに角変位して記録紙５が給紙装置１に挿入される時の衝撃力を吸収する。したがって、給紙装置１に挿入される記録紙の下端６が、揺動支持片２４の載置面２７に入り込むことがない。また、揺動支持片２４が給紙方向に垂直な軸線２３まわりに角変位したときに、揺動支持片２４の載置面２７と背板４の支持面３とのなす角度θ３は、記録紙５が挿入される前に揺動支持片２４の載置面２７が、給紙方向上流側端部２２において保持部２５に当接した保持状態で、背板４の支持面３となす角度θ１よりも小さくなる。したがって、記録紙５が給紙装置１に挿入されて、揺動支持片２４が角変位した状態で、揺動支持片２４の載置面２７の記録紙送給に対する抑止力が大きくなるので、給紙装置１に挿入される記録紙５の下端６が揺動支持片２４の載置面２７に入り込むことがない。
【００３４】
さらに、記録紙５を給紙装置１に挿入したときの衝撃力が解放されると、揺動支持片２４の給紙方向上流側端部２２を支持し、圧縮変形していたばね２６は、圧縮変形を起こす前の形状に復帰する。ばね２６が圧縮変形を起こす前の形状に復帰するのにともなって、揺動支持片２４は、積層された記録紙５を静置した状態で、揺動支持片２４の給紙方向上流側端部２２において、載置面２７が保持部２５に当接する位置まで復帰する。揺動支持片２４の給紙方向上流側端部２２が、保持部２５に当接する位置に保持された状態で、揺動支持片２４の載置面２７と背板４の支持面３とのなす角度θ１は、記録紙を１枚ずつ分離送給するのに実験的に予め求めた好適な角度である。したがって、記録紙の分離送給を開始するとき、揺動支持片２４は分離送給にとって好適な位置に保持されているので、記録紙を１枚づつ確実に分離送給することができる。
【００３５】
図７は、本発明の実施の第２の形態である揺動支持片８６の載置面８７に凸部８８が設けられた斜視図であり、図８は図７の側面図であり、図９は図８の記録紙送給の状態を示す図である。本実施形態では、揺動支持片８６の載置面８７の給紙方向に垂直な方向の中央に、給紙方向に分布して鋸歯状に形成される凸部８８が設けられる。凸部８８は、記録紙９１が衝撃力をともなって給紙装置８９に挿入された場合でも、凸部８８が滑り止めの機能を発揮し、挿入された記録紙９１の下端を受け止めて、記録紙９１の下端が揺動支持片８６の載置面８７まで入り込むことを防止できる。また、記録紙最外層１枚目の記録紙９２が送給されるとき、載置面８７に設けられた凸部８８によって送給が抑止されて、１枚目の記録紙９２の下端９２ａは一旦湾曲するが、記録紙を送給する力が抑止力を超えると、１枚目の記録紙９２の下端９２ｂは鋸歯状の凸部８８を越えて、給紙方向下流側に向けて送給される。揺動支持片８６の載置面８７に凸部８８を設けることによって、記録紙９１を給紙装置８９に挿入したとき、記録紙９１の下端が載置面８７の凸部８８によって確実に受止められるので、記録紙を１枚ずつ確実に分離送給する機能を一層強く発揮することができる。
【００３６】
本発明では、載置面に凸部を有しない揺動支持片であっても、給紙装置に記録紙を挿入するとき、記録紙の下端が揺動支持片の載置面に入り込むことを防止する効果が発揮される。したがって、揺動支持片の載置面に設ける凸部だけで抑止力のすべてを負担する必要がなく、凸部が載置面から突出する高さを、記録紙の下端を傷めることがない程度の高さに低くしても、凸部の滑り止め機能によって載置面の抑止力を向上することができる。
【００３７】
以上述べたように、本発明の実施の第１および第２形態では、揺動支持片はばねで支持されているけれども、これに限定されることなく、揺動支持片はゴムなどを用いた緩衝器で取付けられてもよい。また、弾発支持手段は３つ設けられているけれども、これに限定されることなく、弾発支持手段の数は、２つ以下であってもよく、また４つ以上であってもよい。また、揺動支持片の載置面に形成される凸部は、揺動支持片の載置面の給紙方向に垂直な方向の中央に、記録紙の給紙方向に分布して設けられているけれども、これに限定されることなく、揺動支持片の載置面の全面に設けられてもよく、また局部的に設けられてもよい。また、揺動支持片の載置面に形成される凸部は、鋸歯状であるけれども、これに限定されることなく、他の形状であってもよい。
【００３８】
【発明の効果】
本発明によれば、背板の下部付近に背板によって支持される記録紙の下端を弾発的に支持する弾発支持手段が設けられるので、使用者が衝撃力をともなって記録紙を給紙装置に挿入した場合でも、弾発支持部材が記録紙を挿入したときの衝撃力を吸収することができる。したがって、記録紙を給紙装置に挿入するときの衝撃力が、弾発支持部材によって緩和されるので、記録紙が底板の方まで入り込むことを防止でき、記録紙を送給するときに複数枚を同時に送給することがない。
【００３９】
さらに、弾発支持手段は、角変位可能な揺動支持片とばねとを含むので、記録紙が給紙装置に衝撃力をともなって挿入されたとき、揺動支持片は揺動支持片の載置面と背板の支持面とのなす角度が小さくなるように角変位して衝撃力を吸収し、衝撃力が除かれた状態で記録紙を静置したまま揺動支持片の載置面と背板の支持面とのなす角度が、θ１となる予め定める位置に保持される。したがって、給紙装置に記録紙を挿入するとき、記録紙が挿入時の衝撃力によって揺動支持片の載置面の方に入り込むことがなく、また、記録紙の分離送給を開始するとき、揺動支持片の載置面と背板の支持面とのなす角度が、予め定める好適な角度θ１に保たれるので、記録紙を１枚ずつ確実に分離送給することができる。また、揺動支持片の載置面と背板の支持面とのなす角度θ１は、背板の支持面と底板の案内面とのなす角度θ２よりも大きいので、分離送給の開始された記録紙は、底板の案内面によって送給を抑止されることがなく、円滑に送給される。
【００４０】
また本発明によれば、送給される記録紙の寸法に応じて、記録紙の下端を支持する揺動支持片の数が異なる。したがって、揺動支持片の載置面が記録紙の下端に当接して記録紙の送給を抑止する力が、記録紙の下端に当接する揺動支持片の数によって調整されることになり、記録紙の寸法に応じた数の揺動支持片と記録紙下端との当接によって、記録紙の分離送給が円滑に行われる。
【００４１】
また本発明によれば、揺動支持片の載置面に給紙方向に分布して形成される凸部が設けられるので、記録紙が衝撃力をともなって給紙装置に挿入された場合でも、凸部が滑り止めの機能を発揮し、挿入された記録紙の下端を確実に受け止めて、記録紙が揺動支持片の載置面の方まで入り込むことを防止できる。したがって、記録紙が衝撃力をともなって給紙装置に挿入されたとき、記録紙を１枚ずつ確実に分離送給する機能を一層強化することができる。
【００４２】
また本発明によれば、記録装置は、記録紙を１枚ずつ確実に給紙することのできる給紙装置を備えるので、記録紙を印字する場合に複数枚の記録紙を同時に費やして印字する無駄を発生することがない。
【図面の簡単な説明】
【図１】図１は本発明の実施の１形態である給紙装置１の構成を簡略化して示す断面図である。
【図２】図１に示す給紙装置１を備えた記録装置２の構成を簡略化して示す斜視図である。
【図３】図１に示す給紙装置１の構成を簡略化して示す斜視図である。
【図４】角度分離法を利用した給紙装置８１による記録紙７３の分離送給の概要を示す図である。
【図５】給紙装置８１に挿入された記録紙７３のうち外層の複数枚の記録紙８２が、背板７１と底板７５との境界を越えて、底板７５の案内面７６にまで入り込んだ状態を示す図である。
【図６】給紙装置１に記録紙５が挿入され、押込力が加えられた状態を示す断面図である。
【図７】本発明の実施の第２の形態である揺動支持片８６の載置面８７に凸部８８が設けられた斜視図である。
【図８】図７の側面図である。
【図９】図８の記録紙送給の状態を示す図である。
【符号の説明】
１  給紙装置
２  記録装置
４  背板
７  弾発支持手段
８  底板
９  給紙ローラ
２４，８６  揺動支持片
２６  ばね
４１  ローラ回転軸
６１  印字ヘッド
６２  プラテン
８８  凸部
【図１】
0003558281.tif 000002
【図２】
0003558281.tif 000003
【図３】
0003558281.tif 000004
【図４】
0003558281.tif 000005
【図５】
0003558281.tif 000006
【図６】
0003558281.tif 000007
【図７】
0003558281.tif 000008
【図８】
0003558281.tif 000009
【図９】
0003558281.tif 000010